(57)【要約】【課題】記入者が描画情報を入力したときに、記入者の手や体に遮られる描画情報を視聴者にとって見え易くする入力表示装置を提供する。【解決手段】入力表示装置は、まず、表示部に複数配置された複数のセンサのうちの、記入者（１０１）の入力を検出したセンサ群の位置の座標をそれぞれ表す入力座標情報群を出力する。次に、入力座標情報群に基づいて、表示部に対して記入者（１０１）により入力された情報を表す描画情報（１００）を生成する。次に、表示領域（２０）のうちの、入力座標情報群の座標を含む領域である記入対象表示領域（２１）に描画情報（１００）を表示する。このとき、表示領域（２０）のうちの、記入対象表示領域（２１）以外の領域であり、かつ、記入者（１０１）が入力操作を行なうときに対面しない領域にウィンドウ（３０）を表示して、ウィンドウ（３０）内に描画情報（１００）を表示する。【選択図】図３
2015141519.tif 000002
【特許請求の範囲】
【請求項１】
表示部と、
前記表示部に複数配置されたセンサと、
前記複数のセンサのうちの、記入者の入力を検出したセンサ群の位置の座標をそれぞれ表す入力座標情報群を出力する入力座標検知部と、
前記入力座標情報群に基づいて、前記表示部に対して前記記入者により入力された情報を表す描画情報を生成する描画情報生成部と、
前記表示部の表示領域のうちの、前記入力座標情報群の座標を含む領域である記入対象表示領域に前記描画情報を表示する第１表示制御部と、
前記表示部の表示領域のうちの、前記記入対象表示領域以外の領域であり、かつ、前記記入者が入力操作を行なうときに対面しない領域にウィンドウを表示して、前記ウィンドウ内に前記描画情報を表示する第２表示制御部と、
を具備することを特徴とする入力表示装置。
【請求項２】
前記表示部の表示領域は、第１及び第２分割表示領域を含み、
前記記入対象表示領域が前記第１分割表示領域に含まれる場合、前記第１表示制御部は、前記第１分割表示領域内の記入対象表示領域に前記描画情報を表示し、前記第２表示制御部は、前記第２分割表示領域に前記ウィンドウを表示して、前記ウィンドウ内に前記描画情報を表示する、
ことを特徴とする請求項１に記載の入力表示装置。
【請求項３】
前記表示部の表示領域のうちの、前記記入者が入力操作を行なうときに対面しない領域に対して、前記記入者が設定時間以上連続してタッチした場合、前記複数のセンサのうちの、前記記入者の入力を前記設定時間以上連続して検出したセンサ群の位置の座標をそれぞれ表す指定座標情報群を出力する指定座標検知部、
を更に具備し、
前記第２表示制御部は、前記表示部の表示領域のうちの、前記指定座標情報群の座標を含む領域である指定表示領域に前記ウィンドウを表示し、
前記記入者の入力操作が行なわれた場合、前記第１表示制御部は、前記記入対象表示領域に前記描画情報を表示し、前記第２表示制御部は、前記ウィンドウ内に前記描画情報を表示する、
ことを特徴とする請求項１に記載の入力表示装置。
【請求項４】
前記第２表示制御部は、前記描画情報が表す文字の外接矩形サイズが設定矩形サイズよりも小さい場合、前記描画情報が表す文字の外接矩形サイズを前記設定矩形サイズに変更し、前記ウィンドウ内に前記描画情報を表示する、
ことを特徴とする請求項１から３のいずれかに記載の入力表示装置。
【請求項５】
前記第２表示制御部は、前記描画情報が表す文字の外接矩形サイズが前記ウィンドウのサイズであるウィンドウ矩形サイズよりも長い場合、前記描画情報が表す文字をスクロールすることにより、前記ウィンドウ内に前記描画情報を表示する、
ことを特徴とする請求項１から４のいずれかに記載の入力表示装置。
【請求項６】
前記第２表示制御部は、前記描画情報が表す文字の外接矩形サイズが前記ウィンドウのサイズであるウィンドウ矩形サイズよりも長い場合、前記描画情報が表す文字を前記ウィンドウ矩形サイズ毎に改行することにより、前記ウィンドウ内に前記描画情報を表示する、
ことを特徴とする請求項１から４のいずれかに記載の入力表示装置。
【請求項７】
表示部と前記表示部に複数配置されたセンサとを有する装置を用いた入力表示方法であって、
前記複数のセンサのうちの、記入者の入力を検出したセンサ群の位置の座標をそれぞれ表す入力座標情報群を出力する入力座標検知ステップと、
前記入力座標情報群に基づいて、前記表示部に対して前記記入者により入力された情報を表す描画情報を生成する描画情報生成ステップと、
前記表示部の表示領域のうちの、前記入力座標情報群の座標を含む領域である記入対象表示領域に前記描画情報を表示する第１表示制御ステップと、
前記表示部の表示領域のうちの、前記記入対象表示領域以外の領域であり、かつ、前記記入者が入力操作を行なうときに対面しない領域にウィンドウを表示して、前記ウィンドウ内に前記描画情報を表示する第２表示制御ステップと、
を具備することを特徴とする入力表示方法。
【発明の詳細な説明】
【技術分野】
【０００１】
本発明は、記入者が入力した箇所に描画情報を表示する入力表示装置に関する。
【背景技術】
【０００２】
近年、教室やオフィスでは、インタラクティブ・ホワイトボード（Interactive Whiteboard）（通称：ＩＷＢ）を含む電子黒板が使用されている。その電子黒板では、記入者（例えば、教室の場合は先生）が文字や絵などの描画情報をボードに入力したときに、その入力箇所に描画情報を周囲の視聴者（例えば、教室の場合は生徒）に向けて表示する。
【０００３】
しかし、記入者が周囲の視聴者に向けて描画情報の入力を行なったとき、視聴者の位置によっては、入力箇所が記入者の手や体に遮られることが多く、記入者の意図がリアルタイムに伝わりにくいという問題があった。また、視聴者が複数存在する場合には、各視聴者にとっては入力箇所が見え辛くなる位置、あるいは、見え辛くなるタイミングが異なるため、視聴者自身が移動する等の対応を強いられていた。そのため、記入者が描画情報を入力したときに、記入者の手や体に遮られる描画情報を視聴者にとって見え易いことが望まれる。
【０００４】
ユーザの操作に応じて表示形態を変化させる技術として、特許文献１にはタッチパネル付き表示装置が開示されている。
【０００５】
特許文献１に記載された技術では、表示部（液晶パネル）と、表示部上に配置された透明な素材であるタッチパネルと、タッチパネルコントローラと、ＣＰＵ（Central Processing Unit）とを備えている。タッチパネルは、表示部に表示された文書の中から先頭文字から末尾文字までの文字列を操作者が指定するときに用いられ、操作者は、指でタッチパネルをタッチして、その指を一方向に移動させる（特許文献１の図３参照）。タッチパネルコントローラは、タッチパネルに対して操作者が指でタッチしている位置の座標を検出座標として検出する。ＣＰＵは、タッチパネルがタッチされている間、表示部に表示された文書の中から、上記検出座標とその近傍の座標とを含む選択候補領域に表示された文字列を選択候補文字列とし、上記選択候補文字列を表すウィンドウ（特許文献１の符号１１）を、表示部の表示領域のうちの上記選択候補領域以外の領域に表示する（特許文献１の図４参照）。ここで、ウィンドウ内の選択候補文字列の大きさは、表示部に表示された文書が表す全ての文字の大きさよりも大きい。即ち、拡大表示される。
【０００６】
特許文献１に記載された技術では、更に、音声入力部（マイク、音声認識部）を備えている。操作者は、ウィンドウが表示部に表示されているトリガー待ち状態で、上記検出座標に表示された文字がキャレット（特許文献１の符号１２）により先頭文字を指示している場合は、その文字を指定するトリガーとなる第１音声入力（特許文献１では「クリック」と発する）を音声入力部に対して行なう（特許文献１の図４参照）。また、操作者は、上記トリガー待ち状態で、上記検出座標に表示された文字がキャレットにより末尾文字を指示している場合は、その文字を指定するトリガーとなる第２音声入力（特許文献１では「クリック」と発する）を音声入力部に対して行なう（特許文献１の図５参照）。ＣＰＵは、第１音声入力及び第２音声入力に応じて、先頭文字から末尾文字までの文字列を指定する（特許文献１の図６参照）。
【先行技術文献】
【特許文献】
【０００７】
【特許文献１】特開２００４−１５２２１７号公報
【発明の概要】
【発明が解決しようとする課題】
【０００８】
しかしながら、特許文献１に記載された技術では、操作者が任意の文字列を指定する際に、最初に先頭文字を指定するトリガーとなる入力と、最後に末尾文字を指定するトリガーとなる入力とを行なうための音声入力部を必要とする。
【０００９】
また、特許文献１に記載された技術では、操作者が、表示部に表示された文書の中から任意の文字列を指定するものであって、電子黒板やＩＷＢのように記入者が文字や絵などの描画情報を入力するものではない。そのため、特許文献１に記載された技術では、操作者（端末のユーザ）が文字列を指定する際に、操作者自身の手に遮られる文字列を操作者自身にとって見え易くするものであるが、記入者（先生）が描画情報を入力したときに、記入者の手や体に遮られる描画情報を視聴者（生徒）にとって見え易くするものではない。
【００１０】
本発明は、上記従来の問題点に鑑みてなされたものであって、記入者が描画情報を入力したときに、記入者の手や体に遮られる描画情報を視聴者にとって見え易くすることができる入力表示装置を提供することを目的とする。
【課題を解決するための手段】
【００１１】
本発明の入力表示装置は、表示部と、前記表示部に複数配置されたセンサと、前記複数のセンサのうちの、記入者の入力を検出したセンサ群の位置の座標をそれぞれ表す入力座標情報群を出力する入力座標検知部と、前記入力座標情報群に基づいて、前記表示部に対して前記記入者により入力された情報を表す描画情報を生成する描画情報生成部と、前記表示部の表示領域のうちの、前記入力座標情報群の座標を含む領域である記入対象表示領域に前記描画情報を表示する第１表示制御部と、前記表示部の表示領域のうちの、前記記入対象表示領域以外の領域であり、かつ、前記記入者が入力操作を行なうときに対面しない領域にウィンドウを表示して、前記ウィンドウ内に前記描画情報を表示する第２表示制御部と、を具備することを特徴とする。
【００１２】
本発明の入力表示装置において、前記表示部の表示領域は、第１及び第２分割表示領域を含み、前記記入対象表示領域が前記第１分割表示領域に含まれる場合、前記第１表示制御部は、前記第１分割表示領域内の記入対象表示領域に前記描画情報を表示し、前記第２表示制御部は、前記第２分割表示領域に前記ウィンドウを表示して、前記ウィンドウ内に前記描画情報を表示する、ことを特徴とする。
【００１３】
本発明の入力表示装置は、前記表示部の表示領域のうちの、前記記入者が入力操作を行なうときに対面しない領域に対して、前記記入者が設定時間以上連続してタッチした場合、前記複数のセンサのうちの、前記記入者の入力を前記設定時間以上連続して検出したセンサ群の位置の座標をそれぞれ表す指定座標情報群を出力する指定座標検知部、を更に具備し、前記第２表示制御部は、前記表示部の表示領域のうちの、前記指定座標情報群の座標を含む領域である指定表示領域に前記ウィンドウを表示し、前記記入者の入力操作が行なわれた場合、前記第１表示制御部は、前記記入対象表示領域に前記描画情報を表示し、前記第２表示制御部は、前記ウィンドウ内に前記描画情報を表示する、ことを特徴とする。
【００１４】
本発明の入力表示装置において、前記第２表示制御部は、前記描画情報が表す文字の外接矩形サイズが設定矩形サイズよりも小さい場合、前記描画情報が表す文字の外接矩形サイズを前記設定矩形サイズに変更し、前記ウィンドウ内に前記描画情報を表示する、ことを特徴とする。
【００１５】
本発明の入力表示装置において、前記第２表示制御部は、前記描画情報が表す文字の外接矩形サイズが前記ウィンドウのサイズであるウィンドウ矩形サイズよりも長い場合、前記描画情報が表す文字をスクロールすることにより、前記ウィンドウ内に前記描画情報を表示する、ことを特徴とする。
【００１６】
本発明の入力表示装置において、前記第２表示制御部は、前記描画情報が表す文字の外接矩形サイズが前記ウィンドウのサイズであるウィンドウ矩形サイズよりも長い場合、前記描画情報が表す文字を前記ウィンドウ矩形サイズ毎に改行することにより、前記ウィンドウ内に前記描画情報を表示する、ことを特徴とする。
【００１７】
本発明の入力表示方法は、表示部と前記表示部に複数配置されたセンサとを有する装置を用いた入力表示方法であって、前記複数のセンサのうちの、記入者の入力を検出したセンサ群の位置の座標をそれぞれ表す入力座標情報群を出力する入力座標検知ステップと、前記入力座標情報群に基づいて、前記表示部に対して前記記入者により入力された情報を表す描画情報を生成する描画情報生成ステップと、前記表示部の表示領域のうちの、前記入力座標情報群の座標を含む領域である記入対象表示領域に前記描画情報を表示する第１表示制御ステップと、前記表示部の表示領域のうちの、前記記入対象表示領域以外の領域であり、かつ、前記記入者が入力操作を行なうときに対面しない領域にウィンドウを表示して、前記ウィンドウ内に前記描画情報を表示する第２表示制御ステップと、を具備することを特徴とする。
【発明の効果】
【００１８】
本発明によれば、記入者が描画情報を入力したときに、記入者の手や体に遮られる描画情報を視聴者にとって見え易くすることができる。
【図面の簡単な説明】
【００１９】
【図１】本発明の第１実施形態に係る入力表示装置１の構成を示す図である。
【図２】本発明の第１実施形態に係る入力表示装置１を説明するための図である。
【図３】本発明の第１実施形態に係る入力表示装置１を説明するための図である。
【図４】表示部１１の表示領域２０を示す図である。
【図５】記入対象表示領域２１とウィンドウ３０との関係を示す図である。
【図６】ウィンドウ３０が分割表示領域ＡＬに表示される例を示す図である。
【図７】ウィンドウ３０が分割表示領域ＡＲに表示される例を示す図である。
【図８】ウィンドウ３０が横書きの文字に対処した場合を示す図である。
【図９】ウィンドウ３０が縦書きの文字に対処した場合を示す図である。
【図１０】本発明の第１実施形態に係る入力表示装置１の動作（入力表示処理）を示すフローチャートである。
【図１１】本発明の第２実施形態に係る入力表示装置１の構成を示す図である。
【図１２】本発明の第２実施形態に係る入力表示装置１を説明するための図である。
【図１３】本発明の第２実施形態に係る入力表示装置１を説明するための図である。
【図１４】本発明の第２実施形態に係る入力表示装置１の動作（入力表示処理）を示すフローチャートである。
【図１５】本発明の第３実施形態に係る入力表示装置１の構成を示す図である。
【図１６】本発明の第３実施形態に係る入力表示装置１を説明するための図である。
【図１７】本発明の第３実施形態に係る入力表示装置１を説明するための図である。
【図１８】本発明の第３実施形態に係る入力表示装置１の動作（入力表示処理）を示すフローチャートである。
【図１９】本発明の第４実施形態に係る入力表示装置１の構成を示す図である。
【図２０】本発明の第４実施形態に係る入力表示装置１の動作（入力表示処理）を示すフローチャートである。
【図２１】本発明の第５実施形態に係る入力表示装置１の構成を示す図である。
【図２２】本発明の第５実施形態に係る入力表示装置１を説明するための図である。
【図２３】本発明の第５実施形態に係る入力表示装置１の動作（入力表示処理）を示すフローチャートである。
【図２４】本発明の第６実施形態に係る入力表示装置１の構成を示す図である。
【図２５】本発明の第６実施形態に係る入力表示装置１の動作（入力表示処理）を示すフローチャートである。
【発明を実施するための形態】
【００２０】
以下、図面を参照しながら本発明の実施形態について説明する。
【００２１】
［第１実施形態］
図１は、本発明の第１実施形態に係る入力表示装置１の構成を示す図である。入力表示装置１は、表示装置２と、記憶装置３と、制御装置４とを具備している。
【００２２】
表示装置２は、電子黒板やＩＷＢとして使用される。その表示装置２は、表示部１１と、複数のセンサ１２とを備えている。
【００２３】
表示部１１は、液晶ディスプレイ（ＬＣＤ；Liquid Crystal Display）である。その表示部１１は、地面に対して垂直あるいは垂直に近い状態で設置される。表示部１１は、後述の描画情報を表示するための表示領域２０を有する。
【００２４】
センサ１２は、表示部１１にマトリクス状に配置されている。そのセンサ１２は、記入者１０１が指示媒体（ペン先）を用いて表示部１１に対して入力操作を行なったときに、表示部１１に対する記入者１０１の入力を検出することができる。
【００２５】
センサ１２としては、静電容量センサ、光センサが例示される。静電容量センサは、例えば表示部１１上に４０９６×２１６０に配置されることにより表示部１１にマトリクス状に配置され、所定距離以下に近接した指示媒体（ペン先）を検出する。光センサは、表示部１１の各画素に内蔵されることにより表示部１１にマトリクス状に配置され、表示部１１に接触する指示媒体（ペン先）を検出する。
【００２６】
制御装置４は、センサ駆動部４１と、入力座標検知部４２と、描画情報生成部４３と、領域判定部４４と、文字サイズ算出部４５と、ウィンドウ決定部４６と、スケーリング判定部４７と、第１表示制御部４８と、第２表示制御部４９と、これらの構成要素を制御するＣＰＵ（図示しない）とを備えている。記憶装置３にはコンピュータが実行可能なコンピュータプログラムが格納され、ＣＰＵはそのコンピュータプログラムを読み出して実行する。制御装置４の各構成要素については後述する。
【００２７】
図２、３は、本発明の第１実施形態に係る入力表示装置１を説明するための図である。いま、記入者１０１が、電子黒板やＩＷＢとして使用される表示部１１に対して入力操作を行なっていて、視聴者１０２、１０３が、表示部１１の前に配置されたテーブル１０４から、記入者１０１の話を聴きながら、表示部１１に記入される文字を視ている状態である。
【００２８】
制御装置４において、センサ駆動部４１は、複数のセンサ１２を駆動する。入力座標検知部４２は、複数のセンサ１２のうちの、記入者１０１の入力を検出したセンサ群１２の位置の座標をそれぞれ表す入力座標情報群を出力する。描画情報生成部４３は、入力座標検知部４２からの入力座標情報群に基づいて、図２に示されるような描画情報１００「ＡＢＣＤＥ…」を生成する。描画情報１００は、表示部１１に対して記入者１０１により入力された情報（文字）を表している。
【００２９】
ここで、描画情報１００の生成方法について説明する。描画情報生成部４３は、入力座標検知部４２からの入力座標情報群に対して、１文字ずつラベリング処理、外接矩形処理、統合処理、文字抽出処理を行なう。これらの処理は既知の技術であるため、簡単に説明する。
【００３０】
ラベリング処理では、入力座標情報群に対してそれぞれラベル（番号）を付してラベル情報群を生成する。外接矩形処理では、ラベル情報群の外接矩形を求める。統合処理では、ラベル情報群の外接矩形のうちの、縦横比が１．５倍程度の矩形を文字領域候補矩形群として設定し、縦横比が１．５倍以上の矩形を文字部分候補矩形群として設定する。文字抽出処理では、文字領域候補矩形群及び文字部分候補矩形群のうちの、重なった矩形を纏めることにより、あるいは、設定領域（例えば１文字当たりで１０画素以内）内にある矩形を統合することにより、文字を抽出する。
【００３１】
描画情報生成部４３は、描画情報１００を生成したときに、図２に示されるように、第１表示制御部４８は、表示部１１の表示領域２０のうちの、入力座標情報群の座標を含む領域である記入対象表示領域２１に、描画情報生成部４３からの描画情報１００を表示する。
【００３２】
しかしながら、記入者１０１が周囲の視聴者１０２、１０３に向けて描画情報１００の入力を行なったとき、図２に示されるように、視聴者１０２の位置によっては入力箇所（記入対象表示領域２１）が記入者１０１体に遮られ、視聴者１０３の位置によっては入力箇所（記入対象表示領域２１）が記入者１０１の手に遮られる。この場合、記入者１０１の意図がリアルタイムに伝わりにくい。
【００３３】
そこで、制御装置４において、視聴者１０２、１０３が描画情報１００を視認可能にするために、第２表示制御部４９は、図３に示されるようなウィンドウ３０を表示する。ウィンドウ３０は、表示部１１の表示領域２０のうちの、記入対象表示領域２１以外の領域であり、かつ、記入者１０１が入力操作を行なうときに対面しない領域に表示される。
【００３４】
図３に示されるように、ウィンドウ３０は、吹き出しやポップアップなどの矩形表示部分を有する。吹き出しの矩形表示部分である場合、ウィンドウ３０は、更に、現在の指示媒体（ペン先）の位置からウィンドウ３０の矩形表示部分までを結ぶ引き出し表示部分を有する。第２表示制御部４９は、そのウィンドウ３０の矩形表示部分に、描画情報生成部４３からの描画情報１００を表示する。
【００３５】
このように、本発明の第１実施形態に係る入力表示装置１によれば、記入者１０１により入力された描画情報１００を記入対象表示領域２１に表示するときに、記入者１０１の手や体に遮られてしまった場合でも、記入者１０１が入力操作を行なうときに対面しない領域にウィンドウ３０を表示し、そのウィンドウ３０内に描画情報１００を表示するため、視聴者１０２、１０３にとって見え易くすることができる。
【００３６】
ウィンドウ３０の表示方法について具体的に説明する。
【００３７】
図４は、表示部１１の表示領域２０を示す図である。
【００３８】
表示部１１の表示領域２０は、第１及び第２分割表示領域を含んでいる。ここで、第１及び第２分割表示領域をそれぞれ分割表示領域ＡＬ、ＡＲと称する。表示領域２０の幅であるＸ座標の長さＸｗｄは、記入者１０１の肩幅よりも長い。表示領域２０を左右に２分割した場合、分割表示領域ＡＬ、ＡＲの幅であるＸ座標の長さは、Ｘｗｄ／２により表される。ここで、Ｘ座標の値を０〜Ｘｗｄで表した場合、分割表示領域ＡＬのＸ座標の範囲は０〜Ｘｗｄ／２となる。
【００３９】
制御装置４において、領域判定部４４は、入力座標検知部４２からの入力座標情報群を受け取ったときに、入力座標情報群のＸ座標の値Ｘｉｎが分割表示領域ＡＬのＸ座標の範囲０〜Ｘｗｄ／２に含まれるか否かを判定し、その結果を領域判定結果として出力する。
【００４０】
図５は、記入対象表示領域２１とウィンドウ３０との関係を示す図である。記入対象表示領域２１が分割表示領域ＡＬに含まれる場合、ウィンドウ３０は分割表示領域ＡＲに表示される。一方、記入対象表示領域２１が分割表示領域ＡＲに含まれる場合、ウィンドウ３０は分割表示領域ＡＬに表示される。
【００４１】
図６は、ウィンドウ３０が分割表示領域ＡＬに表示される場合を示す図である。
【００４２】
例えば、領域判定部４４からの領域判定結果は、入力座標情報群のＸ座標の値Ｘｉｎが分割表示領域ＡＬのＸ座標の範囲０〜Ｘｗｄ／２に含まれていることを表している。即ち、入力座標情報群の座標を含む記入対象表示領域２１が分割表示領域ＡＬに含まれている。この場合、第１表示制御部４８は、分割表示領域ＡＬ内の記入対象表示領域２１に、描画情報生成部４３からの描画情報１００を表示する。第２表示制御部４９は、分割表示領域ＡＲにウィンドウ３０を表示して、ウィンドウ３０内に、描画情報生成部４３からの描画情報１００を表示する。
【００４３】
図７は、ウィンドウ３０が分割表示領域ＡＲに表示される場合を示す図である。
【００４４】
例えば、領域判定部４４からの領域判定結果は、入力座標情報群のＸ座標の値Ｘｉｎが分割表示領域ＡＬのＸ座標の範囲０〜Ｘｗｄ／２に含まれていないことを表している。即ち、入力座標情報群の座標を含む記入対象表示領域２１が分割表示領域ＡＲに含まれている。この場合、第１表示制御部４８は、分割表示領域ＡＲ内の記入対象表示領域２１に、描画情報生成部４３からの描画情報１００を表示する。第２表示制御部４９は、分割表示領域ＡＬにウィンドウ３０を表示して、ウィンドウ３０内に、描画情報生成部４３からの描画情報１００を表示する。
【００４５】
なお、本実施形態では、表示部１１の表示領域２０を左右に２分割して分割表示領域ＡＬ、ＡＲとしているが、これに限定されない。記入者１０１が入力操作を行なうときに対面しない領域であれば、分割表示領域ＡＬ、ＡＲの各々を更に上下に２分割してもよい。
【００４６】
例えば、分割表示領域ＡＬを分割表示領域ＡＬ１、ＡＬ２に分割したものとする。第１表示制御部４８が、分割表示領域ＡＬ１内の記入対象表示領域２１に、描画情報生成部４３からの描画情報１００を表示した場合、第２表示制御部４９は、分割表示領域ＡＬ１と同じ高さに位置する分割表示領域ＡＲ１にウィンドウ３０を表示して、ウィンドウ３０内に、描画情報生成部４３からの描画情報１００を表示する。
【００４７】
同様に、分割表示領域ＡＲを分割表示領域ＡＲ１、ＡＲ２に分割したものとする。第１表示制御部４８が、分割表示領域ＡＲ１内の記入対象表示領域２１に、描画情報生成部４３からの描画情報１００を表示した場合、第２表示制御部４９は、分割表示領域ＡＲ１と同じ高さに位置する分割表示領域ＡＬ１にウィンドウ３０を表示して、ウィンドウ３０内に、描画情報生成部４３からの描画情報１００を表示する。
【００４８】
次に、ウィンドウ３０に関して、横書きや縦書きの文字の対処方法や、文字の大きさの対処方法について具体的に説明する。
【００４９】
図８は、ウィンドウ３０が横書きの文字に対処した場合を示す図である。図９は、ウィンドウ３０が縦書きの文字に対処した場合を示す図である。
【００５０】
制御装置４において、文字サイズ算出部４５は、入力座標検知部４２からの入力座標情報群に対して、図８、９に示されるような外接矩形サイズＢＲＳを算出する。具体的には、入力座標検知部４２からの入力座標情報群のＸ座標の最小値、最大値をそれぞれＸｍｉｎ、Ｘｍａｘとし、Ｙ座標の最小値、最大値をそれぞれＹｍｉｎ、Ｙｍａｘとしたとき、文字サイズ算出部４５は、外接矩形サイズＢＲＳのＸ座標の長さＢＲＳｘをＸｍａｘ−Ｘｍｉｎにより算出し、外接矩形サイズＢＲＳのＹ座標の長さＢＲＳｙをＹｍａｘ−Ｙｍｉｎにより算出する。
【００５１】
制御装置４において、ウィンドウ決定部４６は、文字サイズ算出部４５により算出された外接矩形サイズＢＲＳに基づいて、ウィンドウ３０の向きを決定する。
【００５２】
ウィンドウ３０は、その矩形表示部分として、図８に示されるような横書き用ウィンドウ３１、又は、図９に示されるような縦書き用ウィンドウ３２が用いられる。横書き用ウィンドウ３１は、その形状が横長の矩形である。縦書き用ウィンドウ３２は、その形状が縦長の矩形である。
【００５３】
例えば、文字サイズ算出部４５により算出された外接矩形サイズＢＲＳのＸ座標の長さＢＲＳｘがＹ座標の長さＢＲＳｙよりも長い。この場合、ウィンドウ決定部４６は、表示部１１に対して記入者１０１により入力された文字が横書きであるものと判断し、ウィンドウ３０として横書き用ウィンドウ３１を使用するためのウィンドウ継続指示を出力する。
【００５４】
文字サイズ算出部４５により算出された外接矩形サイズＢＲＳのＹ座標の長さＢＲＳｙがＸ座標の長さＢＲＳｘよりも長い。この場合、ウィンドウ決定部４６は、表示部１１に対して記入者１０１により入力された文字が縦書きであるものと判断し、ウィンドウ３０として縦書き用ウィンドウ３２を使用するためのウィンドウ変更指示を出力する。
【００５５】
ここで、本発明の第１実施形態に係る入力表示装置１では、描画情報生成部４３からの描画情報１００が表す文字は、ウィンドウ３０内に全て表示できるものとする。即ち、外接矩形サイズＢＲＳが、ウィンドウ３０のサイズであるウィンドウ矩形サイズＷＩＳ内であるものとする。具体的には、外接矩形サイズＢＲＳのＸ座標の長さＢＲＳｘがウィンドウ矩形サイズＷＩＳのＸ座標の長さＷＩＳｘ以下であり、外接矩形サイズＢＲＳのＹ座標の長さＢＲＳｙがウィンドウ矩形サイズＷＩＳのＹ座標の長さＷＩＳｙ以下であるものとする。
【００５６】
制御装置４において、スケーリング判定部４７は、文字サイズ算出部４５により算出された外接矩形サイズＢＲＳが、設定矩形サイズＢＲＳｔｈよりも小さい場合、その外接矩形サイズＢＲＳを設定矩形サイズＢＲＳｔｈに変更するための拡大率を決定する。
【００５７】
例えば、ウィンドウ決定部４６からウィンドウ継続指示が出力された場合（即ち、表示部１１に対して記入者１０１により入力された文字が横書きである場合）、スケーリング判定部４７は、文字サイズ算出部４５により算出された外接矩形サイズＢＲＳのＸ座標の長さＢＲＳｘが、設定矩形サイズＢＲＳｔｈのＸ座標の長さＢＲＳｘｔｈよりも短いか否かを判定する。外接矩形サイズＢＲＳのＸ座標の長さＢＲＳｘが、設定矩形サイズＢＲＳｔｈのＸ座標の長さＢＲＳｘｔｈよりも短い場合、スケーリング判定部４７は、拡大率ＭをＭ＝ＢＲＳｘｔｈ／ＢＲＳｘにより決定する。
【００５８】
同様に、ウィンドウ決定部４６からウィンドウ変更指示が出力された場合（即ち、表示部１１に対して記入者１０１により入力された文字が縦書きである場合）、スケーリング判定部４７は、文字サイズ算出部４５により算出された外接矩形サイズＢＲＳのＹ座標の長さＢＲＳｙが、設定矩形サイズＢＲＳｔｈのＹ座標の長さＢＲＳｙｔｈよりも短いか否かを判定する。外接矩形サイズＢＲＳのＹ座標の長さＢＲＳｙが、設定矩形サイズＢＲＳｔｈのＹ座標の長さＢＲＳｙｔｈよりも短い場合、スケーリング判定部４７は、拡大率ＭをＭ＝ＢＲＳｙｔｈ／ＢＲＳｙにより決定する。
【００５９】
制御装置４において、第２表示制御部４９は、最初の１文字に対応するために、ウィンドウ３０として横書き用ウィンドウ３１を使用する。ここで、ウィンドウ決定部４６からウィンドウ継続指示が出力された場合（即ち、表示部１１に対して記入者１０１により入力された文字が横書きである場合）、第２表示制御部４９は、ウィンドウ３０を変更しない。一方、ウィンドウ決定部４６からウィンドウ変更指示が出力された場合（即ち、表示部１１に対して記入者１０１により入力された文字が縦書きである場合）、第２表示制御部４９は、ウィンドウ３０を縦書き用ウィンドウ３２に変更する。また、第２表示制御部４９は、スケーリング判定部４７からの拡大率Ｍに基づいて、描画情報生成部４３からの描画情報１００が表す文字の外接矩形サイズＢＲＳを設定矩形サイズＢＲＳｔｈに変更し、ウィンドウ３０内に描画情報１００を表示する。
【００６０】
図１０は、本発明の第１実施形態に係る入力表示装置１の動作（入力表示処理）を示すフローチャートである。
【００６１】
ここで、本発明の第１実施形態に係る入力表示装置１の動作としては、上述のように、表示部１１の表示領域２０に描画情報１００を表示する入力表示処理と、一時的に描画情報１００にオーバーラップしてメニュー（図示しない）を表示するメニュー表示処理と、が挙げられる。本実施形態では、前者の入力表示処理について詳細に説明する。
【００６２】
記入者１０１が表示部１１に対して入力操作を行なう。このとき、入力座標検知部４２、描画情報生成部４３、文字サイズ算出部４５は、座標入力処理を行なう（ステップＳ１０１）。
【００６３】
座標入力処理において、入力座標検知部４２は、複数のセンサ１２のうちの、記入者１０１の入力を検出したセンサ群１２の位置の座標をそれぞれ表す入力座標情報群を出力する。描画情報生成部４３は、入力座標検知部４２からの入力座標情報群に基づいて、表示部１１に対して記入者１０１により入力された情報を描画情報１００として生成する。また、文字サイズ算出部４５は、入力座標検知部４２からの入力座標情報群のＸ座標の最小値、最大値をそれぞれＸｍｉｎ、Ｘｍａｘとし、Ｙ座標の最小値、最大値をそれぞれＹｍｉｎ、Ｙｍａｘとして、外接矩形サイズＢＲＳのＸ座標の長さＢＲＳｘをＸｍａｘ−Ｘｍｉｎにより算出し、外接矩形サイズＢＲＳのＹ座標の長さＢＲＳｙをＹｍａｘ−Ｙｍｉｎにより算出する。
【００６４】
次に、領域判定部４４は、入力座標検知部４２からの入力座標情報群を受け取ったときに、入力座標情報群のＸ座標の値Ｘｉｎが分割表示領域ＡＬのＸ座標の範囲０〜Ｘｗｄ／２に含まれるか否かを判定し、その結果を領域判定結果として出力する（ステップＳ１０２）。
【００６５】
領域判定部４４からの領域判定結果は、入力座標情報群のＸ座標の値Ｘｉｎが分割表示領域ＡＬのＸ座標の範囲０〜Ｘｗｄ／２に含まれていることを表している（ステップＳ１０２−Ｙｅｓ）。この場合、第１表示制御部４８は、分割表示領域ＡＬ内の記入対象表示領域２１（入力座標情報群の座標を含む領域）に、描画情報生成部４３からの描画情報１００を表示し（ステップＳ１０３）、第２表示制御部４９は、分割表示領域ＡＲにウィンドウ３０を表示する（ステップＳ１０４）。このとき、第２表示制御部４９は、最初の１文字に対応するために、ウィンドウ３０として横書き用ウィンドウ３１を使用し、そのウィンドウ３０内に、描画情報生成部４３からの描画情報１００を表示する（ステップＳ１０７）。
【００６６】
一方、領域判定部４４からの領域判定結果は、入力座標情報群のＸ座標の値Ｘｉｎが分割表示領域ＡＬのＸ座標の範囲０〜Ｘｗｄ／２に含まれていないことを表している（ステップＳ１０２−Ｎｏ）。この場合、第１表示制御部４８は、分割表示領域ＡＲ内の記入対象表示領域２１に、描画情報生成部４３からの描画情報１００を表示し（ステップＳ１０５）、第２表示制御部４９は、分割表示領域ＡＬにウィンドウ３０を表示する（ステップＳ１０６）。このとき、第２表示制御部４９は、最初の１文字に対応するために、ウィンドウ３０として横書き用ウィンドウ３１を使用し、そのウィンドウ３０内に、描画情報生成部４３からの描画情報１００を表示する（ステップＳ１０７）。
【００６７】
記入者１０１が表示部１１に対して入力操作を行なわない場合（ステップＳ１０８−Ｎｏ）、入力表示処理は終了する。一方、記入者１０１が表示部１１に対して続けて入力操作を行なった場合（ステップＳ１０８−Ｙｅｓ）、入力座標検知部４２、描画情報生成部４３、文字サイズ算出部４５は、上述の座標入力処理を行なう。この場合、第１表示制御部４８は、上記分割表示領域（分割表示領域ＡＬ及び分割表示領域ＡＲの一方）内の記入対象表示領域２１に、描画情報生成部４３からの描画情報１００を表示する（ステップＳ１０９）。
【００６８】
文字サイズ算出部４５により算出された外接矩形サイズＢＲＳのＸ座標の長さＢＲＳｘがＹ座標の長さＢＲＳｙよりも長い場合、表示部１１に対して記入者１０１により入力された文字は、横書きである（ステップＳ１１０−Ｙｅｓ）。この場合、ウィンドウ決定部４６はウィンドウ継続指示を出力する。スケーリング判定部４７は、ウィンドウ決定部４６からのウィンドウ継続指示に応じて、文字サイズ算出部４５により算出された外接矩形サイズＢＲＳのＸ座標の長さＢＲＳｘが、設定矩形サイズＢＲＳｔｈのＸ座標の長さＢＲＳｘｔｈよりも短いか否かを判定する（ステップＳ１１２）。
【００６９】
外接矩形サイズＢＲＳのＸ座標の長さＢＲＳｘが、設定矩形サイズＢＲＳｔｈのＸ座標の長さＢＲＳｘｔｈ以上である（ステップＳ１１２−Ｎｏ）。この場合、第２表示制御部４９は、描画情報生成部４３からの描画情報１００が表す横書きの文字を拡大しない。また、第２表示制御部４９は、ウィンドウ決定部４６からのウィンドウ継続指示に応じて、ウィンドウ３０を変更しない。第２表示制御部４９は、分割表示領域ＡＬ及び分割表示領域ＡＲの他方のウィンドウ３０（横書き用ウィンドウ３１）内に、描画情報生成部４３からの描画情報１００を表示する（ステップＳ１１４）。
【００７０】
外接矩形サイズＢＲＳのＸ座標の長さＢＲＳｘが、設定矩形サイズＢＲＳｔｈのＸ座標の長さＢＲＳｘｔｈよりも短い場合（ステップＳ１１２−Ｙｅｓ）、スケーリング判定部４７は、拡大率ＭをＭ＝ＢＲＳｘｔｈ／ＢＲＳｘにより決定する（ステップＳ１１３）。例えば、外接矩形サイズＢＲＳのＸ座標の長さＢＲＳｘが、設定矩形サイズＢＲＳｔｈのＸ座標の長さＢＲＳｘｔｈの１／２である場合、拡大率Ｍは２（倍）である。この場合、第２表示制御部４９は、スケーリング判定部４７からの拡大率Ｍに基づいて、描画情報生成部４３からの描画情報１００が表す文字の外接矩形サイズＢＲＳを設定矩形サイズＢＲＳｔｈに変更する。即ち、第２表示制御部４９は、描画情報生成部４３からの描画情報１００が表す横書きの文字を拡大する。また、第２表示制御部４９は、ウィンドウ決定部４６からのウィンドウ継続指示に応じて、ウィンドウ３０を変更しない。第２表示制御部４９は、分割表示領域ＡＬ及び分割表示領域ＡＲの他方のウィンドウ３０（横書き用ウィンドウ３１）内に、描画情報生成部４３からの描画情報１００を表示する（ステップＳ１１４）。
【００７１】
記入者１０１が表示部１１に対して入力操作を行なわない場合（ステップＳ１１５−Ｎｏ）、入力表示処理は終了する。一方、記入者１０１が表示部１１に対して続けて入力操作を行なった場合（ステップＳ１１５−Ｙｅｓ）、入力座標検知部４２、描画情報生成部４３、文字サイズ算出部４５は、上述の座標入力処理を行ない、その後、上述のステップＳ１０９以降が行なわれる。
【００７２】
一方、Ｓ１０８において座標入力処理が行なわれた結果、文字サイズ算出部４５により算出された外接矩形サイズＢＲＳのＹ座標の長さＢＲＳｙがＸ座標の長さＢＲＳｘよりも長い場合、表示部１１に対して記入者１０１により入力された文字は、縦書きである（ステップＳ１１０−Ｎｏ）。この場合、ウィンドウ決定部４６はウィンドウ変更指示を出力する（ステップＳ１１１）。スケーリング判定部４７は、ウィンドウ決定部４６からのウィンドウ変更指示に応じて、文字サイズ算出部４５により算出された外接矩形サイズＢＲＳのＹ座標の長さＢＲＳｙが、設定矩形サイズＢＲＳｔｈのＹ座標の長さＢＲＳｙｔｈよりも短いか否かを判定する（ステップＳ１１２）。
【００７３】
外接矩形サイズＢＲＳのＹ座標の長さＢＲＳｙが、設定矩形サイズＢＲＳｔｈのＹ座標の長さＢＲＳｙｔｈ以上である（ステップＳ１１２−Ｎｏ）この場合、第２表示制御部４９は、描画情報生成部４３からの描画情報１００が表す縦書きの文字を拡大しない。また、第２表示制御部４９は、ウィンドウ決定部４６からのウィンドウ変更指示に応じて、ウィンドウ３０を縦書き用ウィンドウ３２に変更する。第２表示制御部４９は、分割表示領域ＡＬ及び分割表示領域ＡＲの他方のウィンドウ３０（縦書き用ウィンドウ３２）内に、描画情報生成部４３からの描画情報１００を表示する（ステップＳ１１４）。
【００７４】
外接矩形サイズＢＲＳのＹ座標の長さＢＲＳｙが、設定矩形サイズＢＲＳｔｈのＹ座標の長さＢＲＳｙｔｈよりも短い場合（ステップＳ１１２−Ｙｅｓ）、スケーリング判定部４７は、拡大率ＭをＭ＝ＢＲＳｙｔｈ／ＢＲＳｙにより決定する（ステップＳ１１３）。例えば、外接矩形サイズＢＲＳのＹ座標の長さＢＲＳｙが、設定矩形サイズＢＲＳｔｈのＹ座標の長さＢＲＳｙｔｈの１／２である場合、拡大率Ｍは２（倍）である。この場合、第２表示制御部４９は、スケーリング判定部４７からの拡大率Ｍに基づいて、描画情報生成部４３からの描画情報１００が表す文字の外接矩形サイズＢＲＳを設定矩形サイズＢＲＳｔｈに変更する。即ち、第２表示制御部４９は、描画情報生成部４３からの描画情報１００が表す縦書きの文字を拡大する。また、第２表示制御部４９は、ウィンドウ決定部４６からのウィンドウ変更指示に応じて、ウィンドウ３０を縦書き用ウィンドウ３２に変更する。第２表示制御部４９は、分割表示領域ＡＬ及び分割表示領域ＡＲの他方のウィンドウ３０（縦書き用ウィンドウ３２）内に、描画情報生成部４３からの描画情報１００を表示する（ステップＳ１１４）。
【００７５】
記入者１０１が表示部１１に対して入力操作を行なわない場合（ステップＳ１１５−Ｎｏ）、入力表示処理は終了する。一方、記入者１０１が表示部１１に対して続けて入力操作を行なった場合（ステップＳ１１５−Ｙｅｓ）、入力座標検知部４２、描画情報生成部４３、文字サイズ算出部４５は、上述の座標入力処理を行ない、その後、上述のステップＳ１０９以降が行なわれる。
【００７６】
以上の説明により、本発明の第１実施形態に係る入力表示装置１では、記入者１０１が記入対象表示領域２１（分割表示領域ＡＬ又は分割表示領域ＡＲの一方）に描画情報１００を入力したときに、記入者１０１が入力操作を行なうときに対面しない領域（分割表示領域ＡＬ又は分割表示領域ＡＲの他方）を自動的に決定する。このように、本発明の第１実施形態に係る入力表示装置１によれば、記入者１０１により入力された描画情報１００を記入対象表示領域２１（分割表示領域ＡＬ又は分割表示領域ＡＲの一方）に表示するときに、記入者１０１の手や体に遮られてしまった場合でも、記入者１０１が入力操作を行なうときに対面しない領域（分割表示領域ＡＬ又は分割表示領域ＡＲの他方）にウィンドウ３０を表示し、そのウィンドウ３０内に描画情報１００を表示するため、視聴者１０２、１０３にとって見え易くすることができる。
【００７７】
また、本発明の第１実施形態に係る入力表示装置１によれば、描画情報１００が表す文字のサイズ（外接矩形サイズＢＲＳ）が設定サイズ（設定矩形サイズＢＲＳｔｈ）よりも小さい場合、描画情報１００が表す文字のサイズを拡大して、ウィンドウ３０内に描画情報１００を表示するため、視聴者１０２、１０３にとって見え易くすることができる。
【００７８】
［第２実施形態］
図１１は、本発明の第２実施形態に係る入力表示装置１の構成を示す図である。第２実施形態では第１実施形態からの変更点のみ説明する。
【００７９】
制御装置４は、第１実施形態における領域判定部４４に代えて、指定座標検知部５１を備えている。
【００８０】
図１２、１３は、本発明の第２実施形態に係る入力表示装置１を説明するための図である。
【００８１】
まず、本発明の第１実施形態に係る入力表示装置１では、記入者１０１が入力操作を行なうときに対面しない領域（分割表示領域ＡＬ又は分割表示領域ＡＲ）を自動的に設定している。
【００８２】
一方、本発明の第２実施形態に係る入力表示装置１では、図１２に示されるように、記入者１０１が入力操作を行なう前に、記入者１０１が入力操作を行なうときに対面しない領域（後述の指定表示領域２２）を記入者１０１自身で決定して、図１３に示されるように、その領域（指定表示領域２２）にウィンドウ３０を表示し、そのウィンドウ３０内に描画情報１００を表示する。
【００８３】
図１４は、本発明の第２実施形態に係る入力表示装置１の動作（入力表示処理）を示すフローチャートである。
【００８４】
記入者１０１が表示部１１に対してタッチ操作を行なわない場合（ステップＳ２０１−Ｎｏ）、入力表示処理は実行されない。タッチ操作とは、表示部１１の表示領域２０のうちの、記入者１０１が入力操作を行なうときに対面しない領域に対して、記入者１０１が手又はペン先で設定時間以上連続してタッチすることである。
【００８５】
いま、記入者１０１が入力操作を行なう前に、視聴者１０２、１０３が描画情報１００を視認可能にするために、記入者１０１が表示部１１に対してタッチ操作を行なう（Ｓ２０１−Ｙｅｓ）。このとき、指定座標検知部５１は、タッチ入力処理を行なう。
【００８６】
タッチ入力処理において、指定座標検知部５１は、複数のセンサ１２のうちの、記入者１０１の入力を設定時間以上連続して検出したセンサ群１２の位置の座標をそれぞれ表す指定座標情報群を出力する。ここで、入力座標検知部４２は、記入者１０１が設定時間以上連続してタッチしている場合、複数のセンサ１２のうちの、記入者１０１の入力を検出したセンサ群１２の位置の座標をそれぞれ表す入力座標情報群を出力しない。即ち、入力座標情報群は無効である。
【００８７】
第２表示制御部４９は、表示部１１の表示領域２０のうちの、指定座標検知部５１からの指定座標情報群の座標を含む領域である指定表示領域２２に、ウィンドウ３０を表示する（Ｓ２０２）。ここで、第２表示制御部４９は、最初の１文字に対応するために、ウィンドウ３０として横書き用ウィンドウ３１を使用する。
【００８８】
記入者１０１が表示部１１に対して入力操作を行なう。このとき、入力座標検知部４２、描画情報生成部４３、文字サイズ算出部４５は、前述の座標入力処理を行なう（ステップＳ２０３）。
【００８９】
座標入力処理において、入力座標検知部４２は、複数のセンサ１２のうちの、記入者１０１の入力を検出したセンサ群１２の位置の座標をそれぞれ表す入力座標情報群を出力する。即ち、入力座標情報群は有効である。描画情報生成部４３は、入力座標検知部４２からの入力座標情報群に基づいて、前述の描画情報１００を生成する。また、文字サイズ算出部４５は、入力座標検知部４２からの入力座標情報群に基づいて、前述の外接矩形サイズＢＲＳを算出する。
【００９０】
この場合、第１表示制御部４８は、記入対象表示領域２１（入力座標情報群の座標を含む領域）に、描画情報生成部４３からの描画情報１００を表示する（ステップＳ２０４）。第２表示制御部４９は、上記ウィンドウ３０内に、描画情報生成部４３からの描画情報１００を表示する（ステップＳ２０５）。
【００９１】
その後、第１実施形態におけるステップＳ１０８〜Ｓ１１５が実行される。
【００９２】
以上の説明により、本発明の第２実施形態に係る入力表示装置１では、記入者１０１が入力操作を行なう前に、記入者１０１が入力操作を行なうときに対面しない領域（指定表示領域２２）を記入者１０１自身で決定する。このように、本発明の第２実施形態に係る入力表示装置１によれば、記入者１０１により入力された描画情報１００を記入対象表示領域２１に表示するときに、記入者１０１の手や体に遮られてしまった場合でも、記入者１０１が入力操作を行なうときに対面しない領域（指定表示領域２２）にウィンドウ３０を表示し、そのウィンドウ３０内に描画情報１００を表示するため、視聴者１０２、１０３にとって見え易くすることができる。
【００９３】
また、本発明の第２実施形態に係る入力表示装置１によれば、第１実施形態と同様に、描画情報１００が表す文字のサイズ（外接矩形サイズＢＲＳ）が設定サイズ（設定矩形サイズＢＲＳｔｈ）よりも小さい場合、描画情報１００が表す文字のサイズを拡大して、ウィンドウ３０内に描画情報１００を表示するため、視聴者１０２、１０３にとって見え易くすることができる。
【００９４】
［第３実施形態］
図１５は、本発明の第３実施形態に係る入力表示装置１の構成を示す図である。第３実施形態では第１実施形態からの変更点のみ説明する。
【００９５】
制御装置４は、第１実施形態におけるスケーリング判定部４７に代えて、スクロール判定部６１を備えている。
【００９６】
図１６、１７は、本発明の第３実施形態に係る入力表示装置１を説明するための図である。
【００９７】
まず、本発明の第１実施形態に係る入力表示装置１では、描画情報生成部４３からの描画情報１００が表す文字が、ウィンドウ３０内に全て表示できることを前提にしている。即ち、描画情報１００が表す文字の外接矩形サイズＢＲＳが、ウィンドウ３０のサイズであるウィンドウ矩形サイズＷＩＳ内であるものとすることを前提にしている。
【００９８】
一方、本発明の第３実施形態に係る入力表示装置１では、図１６に示されるように、描画情報生成部４３からの描画情報１００が表す文字が、ウィンドウ３０内に全て表示できない場合、即ち、描画情報１００が表す文字の外接矩形サイズＢＲＳがウィンドウ矩形サイズＷＩＳ以上である場合、図１７に示されるように、描画情報生成部４３からの描画情報１００が表す文字をスクロール表示して、ウィンドウ３０内に描画情報１００を表示する。
【００９９】
図１８は、本発明の第３実施形態に係る入力表示装置１の動作（入力表示処理）を示すフローチャートである。
【０１００】
まず、第１実施形態におけるステップＳ１０１〜Ｓ１０９が実行される。
【０１０１】
文字サイズ算出部４５により算出された外接矩形サイズＢＲＳのＸ座標の長さＢＲＳｘがＹ座標の長さＢＲＳｙよりも長い場合、表示部１１に対して記入者１０１により入力された文字は、横書きである（ステップＳ１１０−Ｙｅｓ）。この場合、ウィンドウ決定部４６はウィンドウ継続指示を出力する。スクロール判定部６１は、ウィンドウ決定部４６からのウィンドウ継続指示に応じて、文字サイズ算出部４５により算出された外接矩形サイズＢＲＳのＸ座標の長さＢＲＳｘが、ウィンドウ矩形サイズＷＩＳのＸ座標の長さＷＩＳｘよりも長いか否かを判定する（ステップＳ３０１）。
【０１０２】
外接矩形サイズＢＲＳのＸ座標の長さＢＲＳｘが、ウィンドウ矩形サイズＷＩＳのＸ座標の長さＷＩＳｘ以下である（ステップＳ３０１−Ｎｏ）。この場合、第２表示制御部４９は、描画情報生成部４３からの描画情報１００が表す横書きの文字をスクロール表示しない。また、第２表示制御部４９は、ウィンドウ決定部４６からのウィンドウ継続指示に応じて、ウィンドウ３０を変更しない。第２表示制御部４９は、ウィンドウ３０（横書き用ウィンドウ３１）内に、描画情報生成部４３からの描画情報１００を表示する（ステップＳ３０３）。
【０１０３】
外接矩形サイズＢＲＳのＸ座標の長さＢＲＳｘが、ウィンドウ矩形サイズＷＩＳのＸ座標の長さＷＩＳｘよりも長い場合（ステップＳ３０１−Ｙｅｓ）、スクロール判定部６１は、スクロール指示としてＸ座標スクロール指示を出力する（ステップＳ３０２）。この場合、第２表示制御部４９は、ウィンドウ決定部４６からのウィンドウ継続指示に応じて、ウィンドウ３０を変更しない。また、第２表示制御部４９は、スクロール判定部６１からのＸ座標スクロール指示に基づいて、ウィンドウ矩形サイズＷＩＳのＸ座標の長さＷＩＳｘの方向（Ｘ方向）に、描画情報１００が表す文字（横書きの文字）を先頭文字から末尾文字までスクロールすることにより（図１７参照）、ウィンドウ３０（横書き用ウィンドウ３１）内に、描画情報生成部４３からの描画情報１００を表示する（ステップＳ３０３）。
【０１０４】
その後、第１実施形態におけるステップＳ１１５が実行される。
【０１０５】
一方、Ｓ１０８において座標入力処理が行なわれた結果、文字サイズ算出部４５により算出された外接矩形サイズＢＲＳのＹ座標の長さＢＲＳｙがＸ座標の長さＢＲＳｘよりも長い場合、表示部１１に対して記入者１０１により入力された文字は、縦書きである（ステップＳ１１０−Ｎｏ）。この場合、ウィンドウ決定部４６はウィンドウ変更指示を出力する（ステップＳ１１１）。スクロール判定部６１は、ウィンドウ決定部４６からのウィンドウ変更指示に応じて、文字サイズ算出部４５により算出された外接矩形サイズＢＲＳのＹ座標の長さＢＲＳｙが、ウィンドウ矩形サイズＷＩＳのＹ座標の長さＷＩＳｙよりも長いか否かを判定する（ステップＳ３０１）。
【０１０６】
外接矩形サイズＢＲＳのＹ座標の長さＢＲＳｙが、ウィンドウ矩形サイズＷＩＳのＹ座標の長さＷＩＳｙ以下である（ステップＳ３０１−Ｎｏ）この場合、第２表示制御部４９は、描画情報生成部４３からの描画情報１００が表す縦書きの文字をスクロール表示しない。また、第２表示制御部４９は、ウィンドウ決定部４６からのウィンドウ変更指示に応じて、ウィンドウ３０を縦書き用ウィンドウ３２に変更する。第２表示制御部４９は、ウィンドウ３０（縦書き用ウィンドウ３２）内に、描画情報生成部４３からの描画情報１００を表示する（ステップＳ３０３）。
【０１０７】
外接矩形サイズＢＲＳのＹ座標の長さＢＲＳｙが、ウィンドウ矩形サイズＷＩＳのＹ座標の長さＷＩＳｙよりも長い場合（ステップＳ３０１−Ｙｅｓ）、スクロール判定部６１は、スクロール指示としてＹ座標スクロール指示を出力する（ステップＳ３０２）。この場合、第２表示制御部４９は、ウィンドウ決定部４６からのウィンドウ変更指示に応じて、ウィンドウ３０を縦書き用ウィンドウ３２に変更する。また、第２表示制御部４９は、スクロール判定部６１からのＹ座標スクロール指示に基づいて、ウィンドウ矩形サイズＷＩＳのＹ座標の長さＷＩＳｙの方向（Ｙ方向）に、描画情報１００が表す文字（縦書きの文字）を先頭文字から末尾文字までスクロールすることにより、ウィンドウ３０（縦書き用ウィンドウ３２）内に、描画情報生成部４３からの描画情報１００を表示する（ステップＳ３０３）。
【０１０８】
その後、第１実施形態におけるステップＳ１１５が実行される。
【０１０９】
以上の説明により、本発明の第３実施形態に係る入力表示装置１では、第１実施形態と同様に、記入者１０１が記入対象表示領域２１（分割表示領域ＡＬ又は分割表示領域ＡＲの一方）に描画情報１００を入力したときに、記入者１０１が入力操作を行なうときに対面しない領域（分割表示領域ＡＬ又は分割表示領域ＡＲの他方）を自動的に決定する。このように、本発明の第３実施形態に係る入力表示装置１によれば、記入者１０１により入力された描画情報１００を記入対象表示領域２１（分割表示領域ＡＬ又は分割表示領域ＡＲの一方）に表示するときに、記入者１０１の手や体に遮られてしまった場合でも、記入者１０１が入力操作を行なうときに対面しない領域（分割表示領域ＡＬ又は分割表示領域ＡＲの他方）にウィンドウ３０を表示し、そのウィンドウ３０内に描画情報１００を表示するため、視聴者１０２、１０３にとって見え易くすることができる。
【０１１０】
また、本発明の第３実施形態に係る入力表示装置１によれば、描画情報１００が表す文字がウィンドウ３０内に全て表示できない場合（描画情報１００が表す文字の外接矩形サイズＢＲＳがウィンドウ矩形サイズＷＩＳ以上である場合）、描画情報１００が表す文字をスクロール表示して、ウィンドウ３０内に描画情報１００を表示するため、視聴者１０２、１０３にとって見え易くすることができる。
【０１１１】
［第４実施形態］
図１９は、本発明の第４実施形態に係る入力表示装置１の構成を示す図である。第４実施形態では第１〜３実施形態からの変更点のみ説明する。
【０１１２】
制御装置４は、第１実施形態における領域判定部４４に代えて、第２実施形態における指定座標検知部５１を備えている。また、制御装置４は、第１実施形態におけるスケーリング判定部４７に代えて、第３実施形態におけるスクロール判定部６１を備えている。第４実施形態は、第１実施形態に第２、３実施形態を適用したものである。
【０１１３】
図２０は、本発明の第４実施形態に係る入力表示装置１の動作（入力表示処理）を示すフローチャートである。
【０１１４】
まず、第２実施形態におけるステップＳ２０１〜Ｓ２０５が実行される。次に、第１実施形態におけるステップＳ１０８〜Ｓ１１１が実行される。次に、第３実施形態におけるステップＳ３０１〜Ｓ３０３が実行される。次に、第１実施形態におけるステップＳ１１５が実行される。
【０１１５】
以上の説明により、本発明の第４実施形態に係る入力表示装置１では、第２実施形態と同様に、記入者１０１が入力操作を行なう前に、記入者１０１が入力操作を行なうときに対面しない領域（指定表示領域２２）を記入者１０１自身で決定する。このように、本発明の第２実施形態に係る入力表示装置１によれば、記入者１０１により入力された描画情報１００を記入対象表示領域２１に表示するときに、記入者１０１の手や体に遮られてしまった場合でも、記入者１０１が入力操作を行なうときに対面しない領域（指定表示領域２２）にウィンドウ３０を表示し、そのウィンドウ３０内に描画情報１００を表示するため、視聴者１０２、１０３にとって見え易くすることができる。
【０１１６】
また、本発明の第４実施形態に係る入力表示装置１によれば、第３実施形態と同様に、描画情報１００が表す文字がウィンドウ３０内に全て表示できない場合（描画情報１００が表す文字の外接矩形サイズＢＲＳがウィンドウ矩形サイズＷＩＳ以上である場合）、描画情報１００が表す文字をスクロール表示して、ウィンドウ３０内に描画情報１００を表示するため、視聴者１０２、１０３にとって見え易くすることができる。
【０１１７】
［第５実施形態］
図２１は、本発明の第５実施形態に係る入力表示装置１の構成を示す図である。第５実施形態では第１、３実施形態からの変更点のみ説明する。
【０１１８】
制御装置４は、第３実施形態におけるスクロール判定部６１に代えて、改行判定部７１を備えている。
【０１１９】
図２２は、本発明の第５実施形態に係る入力表示装置１を説明するための図である。
【０１２０】
まず、本発明の第３実施形態に係る入力表示装置１では、描画情報生成部４３からの描画情報１００が表す文字が、ウィンドウ３０内に全て表示できない場合、即ち、描画情報１００が表す文字の外接矩形サイズＢＲＳがウィンドウ矩形サイズＷＩＳ以上である場合、描画情報生成部４３からの描画情報１００が表す文字をスクロール表示して、ウィンドウ３０内に描画情報１００を表示している。
【０１２１】
一方、本発明の第５実施形態に係る入力表示装置１では、描画情報生成部４３からの描画情報１００が表す文字をスクロール表示しないとウィンドウ３０内に描画情報１００を表示できない場合、即ち、描画情報１００が表す文字の外接矩形サイズＢＲＳがウィンドウ矩形サイズＷＩＳ以上である場合、図２２に示されるように、描画情報生成部４３からの描画情報１００が表す文字をウィンドウ矩形サイズＷＩＳ毎に改行して、ウィンドウ３０内に描画情報１００を表示する。
【０１２２】
図２３は、本発明の第５実施形態に係る入力表示装置１の動作（入力表示処理）を示すフローチャートである。
【０１２３】
まず、第１実施形態におけるステップＳ１０１〜Ｓ１０９が実行される。
【０１２４】
文字サイズ算出部４５により算出された外接矩形サイズＢＲＳのＸ座標の長さＢＲＳｘがＹ座標の長さＢＲＳｙよりも長い場合、表示部１１に対して記入者１０１により入力された文字は、横書きである（ステップＳ１１０−Ｙｅｓ）。この場合、ウィンドウ決定部４６はウィンドウ継続指示を出力する。改行判定部７１は、ウィンドウ決定部４６からのウィンドウ継続指示に応じて、文字サイズ算出部４５により算出された外接矩形サイズＢＲＳのＸ座標の長さＢＲＳｘが、ウィンドウ矩形サイズＷＩＳのＸ座標の長さＷＩＳｘよりも長いか否かを判定する（ステップＳ４０１）。
【０１２５】
外接矩形サイズＢＲＳのＸ座標の長さＢＲＳｘが、ウィンドウ矩形サイズＷＩＳのＸ座標の長さＷＩＳｘ以下である（ステップＳ４０１−Ｎｏ）。この場合、第２表示制御部４９は、描画情報生成部４３からの描画情報１００が表す横書きの文字を改行しない。また、第２表示制御部４９は、ウィンドウ決定部４６からのウィンドウ継続指示に応じて、ウィンドウ３０を変更しない。第２表示制御部４９は、ウィンドウ３０（横書き用ウィンドウ３１）内に、描画情報生成部４３からの描画情報１００を表示する（ステップＳ４０３）。
【０１２６】
外接矩形サイズＢＲＳのＸ座標の長さＢＲＳｘが、ウィンドウ矩形サイズＷＩＳのＸ座標の長さＷＩＳｘよりも長い場合（ステップＳ４０１−Ｙｅｓ）、改行判定部７１は、改行指示としてＸ座標改行指示を出力する（ステップＳ４０２）。この場合、第２表示制御部４９は、ウィンドウ決定部４６からのウィンドウ継続指示に応じて、ウィンドウ３０を変更しない。また、第２表示制御部４９は、改行判定部７１からのＸ座標改行指示に基づいて、ウィンドウ矩形サイズＷＩＳのＸ座標の長さＷＩＳｘ毎に、描画情報１００が表す文字（横書きの文字）を改行することにより（図２２参照）、ウィンドウ３０（横書き用ウィンドウ３１）内に、描画情報生成部４３からの描画情報１００を表示する（ステップＳ４０３）。
【０１２７】
その後、第１実施形態におけるステップＳ１１５が実行される。
【０１２８】
一方、Ｓ１０８において座標入力処理が行なわれた結果、文字サイズ算出部４５により算出された外接矩形サイズＢＲＳのＹ座標の長さＢＲＳｙがＸ座標の長さＢＲＳｘよりも長い場合、表示部１１に対して記入者１０１により入力された文字は、縦書きである（ステップＳ１１０−Ｎｏ）。この場合、ウィンドウ決定部４６はウィンドウ変更指示を出力する（ステップＳ１１１）。改行判定部７１は、ウィンドウ決定部４６からのウィンドウ変更指示に応じて、文字サイズ算出部４５により算出された外接矩形サイズＢＲＳのＹ座標の長さＢＲＳｙが、ウィンドウ矩形サイズＷＩＳのＹ座標の長さＷＩＳｙよりも長いか否かを判定する（ステップＳ４０１）。
【０１２９】
外接矩形サイズＢＲＳのＹ座標の長さＢＲＳｙが、ウィンドウ矩形サイズＷＩＳのＹ座標の長さＷＩＳｙ以下である（ステップＳ４０１−Ｎｏ）この場合、第２表示制御部４９は、描画情報生成部４３からの描画情報１００が表す縦書きの文字を改行しない。また、第２表示制御部４９は、ウィンドウ決定部４６からのウィンドウ変更指示に応じて、ウィンドウ３０を縦書き用ウィンドウ３２に変更する。第２表示制御部４９は、ウィンドウ３０（縦書き用ウィンドウ３２）内に、描画情報生成部４３からの描画情報１００を表示する（ステップＳ４０３）。
【０１３０】
外接矩形サイズＢＲＳのＹ座標の長さＢＲＳｙが、ウィンドウ矩形サイズＷＩＳのＹ座標の長さＷＩＳｙよりも長い場合（ステップＳ４０１−Ｙｅｓ）、改行判定部７１は、改行指示としてＹ座標改行指示を出力する（ステップＳ４０２）。この場合、第２表示制御部４９は、ウィンドウ決定部４６からのウィンドウ変更指示に応じて、ウィンドウ３０を縦書き用ウィンドウ３２に変更する。また、第２表示制御部４９は、改行判定部７１からのＹ座標改行指示に基づいて、ウィンドウ矩形サイズＷＩＳのＹ座標の長さＷＩＳｙ毎に、描画情報１００が表す文字（縦書きの文字）を改行することにより、ウィンドウ３０（縦書き用ウィンドウ３２）内に、描画情報生成部４３からの描画情報１００を表示する（ステップＳ４０３）。
【０１３１】
その後、第１実施形態におけるステップＳ１１５が実行される。
【０１３２】
以上の説明により、本発明の第５実施形態に係る入力表示装置１では、第１実施形態と同様に、記入者１０１が記入対象表示領域２１（分割表示領域ＡＬ又は分割表示領域ＡＲの一方）に描画情報１００を入力したときに、記入者１０１が入力操作を行なうときに対面しない領域（分割表示領域ＡＬ又は分割表示領域ＡＲの他方）を自動的に決定する。このように、本発明の第３実施形態に係る入力表示装置１によれば、記入者１０１により入力された描画情報１００を記入対象表示領域２１（分割表示領域ＡＬ又は分割表示領域ＡＲの一方）に表示するときに、記入者１０１の手や体に遮られてしまった場合でも、記入者１０１が入力操作を行なうときに対面しない領域（分割表示領域ＡＬ又は分割表示領域ＡＲの他方）にウィンドウ３０を表示し、そのウィンドウ３０内に描画情報１００を表示するため、視聴者１０２、１０３にとって見え易くすることができる。
【０１３３】
また、本発明の第５実施形態に係る入力表示装置１によれば、描画情報生成部４３からの描画情報１００が表す文字をスクロール表示しないとウィンドウ３０内に描画情報１００を表示できない場合（描画情報１００が表す文字の外接矩形サイズＢＲＳがウィンドウ矩形サイズＷＩＳ以上である場合）、描画情報１００が表す文字をウィンドウ矩形サイズＷＩＳ毎に改行して、ウィンドウ３０内に描画情報１００を表示するため、視聴者１０２、１０３にとって見え易くすることができる。
【０１３４】
［第６実施形態］
図２４は、本発明の第６実施形態に係る入力表示装置１の構成を示す図である。第６実施形態では第１、２、５実施形態からの変更点のみ説明する。
【０１３５】
制御装置４は、第１実施形態における領域判定部４４に代えて、第２実施形態における指定座標検知部５１を備えている。また、制御装置４は、第１実施形態におけるスケーリング判定部４７に代えて、第５実施形態における改行判定部７１を備えている。第６実施形態は、第１実施形態に第２、５実施形態を適用したものである。
【０１３６】
図２５は、本発明の第６実施形態に係る入力表示装置１の動作（入力表示処理）を示すフローチャートである。
【０１３７】
まず、第２実施形態におけるステップＳ２０１〜Ｓ２０５が実行される。次に、第１実施形態におけるステップＳ１０８〜Ｓ１１１が実行される。次に、第５実施形態におけるステップＳ４０１〜Ｓ４０３が実行される。次に、第１実施形態におけるステップＳ１１５が実行される。
【０１３８】
以上の説明により、本発明の第６実施形態に係る入力表示装置１では、第２実施形態と同様に、記入者１０１が入力操作を行なう前に、記入者１０１が入力操作を行なうときに対面しない領域（指定表示領域２２）を記入者１０１自身で決定する。このように、本発明の第２実施形態に係る入力表示装置１によれば、記入者１０１により入力された描画情報１００を記入対象表示領域２１に表示するときに、記入者１０１の手や体に遮られてしまった場合でも、記入者１０１が入力操作を行なうときに対面しない領域（指定表示領域２２）にウィンドウ３０を表示し、そのウィンドウ３０内に描画情報１００を表示するため、視聴者１０２、１０３にとって見え易くすることができる。
【０１３９】
また、本発明の第６実施形態に係る入力表示装置１によれば、第５実施形態と同様に、描画情報生成部４３からの描画情報１００が表す文字をスクロール表示しないとウィンドウ３０内に描画情報１００を表示できない場合（描画情報１００が表す文字の外接矩形サイズＢＲＳがウィンドウ矩形サイズＷＩＳ以上である場合）、描画情報１００が表す文字をウィンドウ矩形サイズＷＩＳ毎に改行して、ウィンドウ３０内に描画情報１００を表示するため、視聴者１０２、１０３にとって見え易くすることができる。
【０１４０】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【０１４１】
１  …  入力表示装置、
２  …  表示装置、
３  …  記憶装置、
４  …  制御装置、
１１  …  表示部（液晶パネル）、
１２  …  センサ、
２０  …  表示領域、
２１  …  記入対象表示領域、
２２  …  指定表示領域、
３０  …  ウィンドウ、
３１  …  横書き用ウィンドウ、
３２  …  縦書き用ウィンドウ、
４１  …  センサ駆動部、
４２  …  入力座標検知部、
４３  …  描画情報生成部、
４４  …  領域判定部、      ＜第１、３、５実施形態＞
４５  …  文字サイズ算出部、
４６  …  ウィンドウ決定部、
４７  …  スケーリング判定部、      ＜第１、２実施形態＞
４８  …  第１表示制御部、
４９  …  第２表示制御部、
５１  …  指定座標検知部、      ＜第２、４、６実施形態＞
６１  …  スクロール判定部、      ＜第３、４実施形態＞
７１  …  改行判定部、      ＜第５、６実施形態＞
１００  …  描画情報、
１０１  …  記入者、
１０２  …  視聴者、
１０３  …  視聴者、
１０４  …  テーブル
【図１】
2015141519.tif 000003
【図２】
2015141519.tif 000004
【図３】
2015141519.tif 000005
【図４】
2015141519.tif 000006
【図５】
2015141519.tif 000007
【図６】
2015141519.tif 000008
【図７】
2015141519.tif 000009
【図８】
2015141519.tif 000010
【図９】
2015141519.tif 000011
【図１０】
2015141519.tif 000012
【図１１】
2015141519.tif 000013
【図１２】
2015141519.tif 000014
【図１３】
2015141519.tif 000015
【図１４】
2015141519.tif 000016
【図１５】
2015141519.tif 000017
【図１６】
2015141519.tif 000018
【図１７】
2015141519.tif 000019
【図１８】
2015141519.tif 000020
【図１９】
2015141519.tif 000021
【図２０】
2015141519.tif 000022
【図２１】
2015141519.tif 000023
【図２２】
2015141519.tif 000024
【図２３】
2015141519.tif 000025
【図２４】
2015141519.tif 000026
【図２５】
2015141519.tif 000027